(57)【要約】【課題】入力手段を持たない電子ペーパを用いて元の記事にリンクを張ることが可能な表示装置及び出力装置を提供する。【解決手段】表示装置に増えたペーパがあるときには、増えたペーパと、その上に位置するペーパについて、コメント送信先又はトラックバック送信先を持っているかをチェックして（Ｓ１１４５）、持っていれば、トラックバックを行ったり（Ｓ１１４９，Ｓ１１５２，Ｓ１１５４）、コメントを送信したり（Ｓ１１５０，Ｓ１１５７，Ｓ１１５５，Ｓ１１６０）する。【選択図】図１４
2008083304.tif 000002
【特許請求の範囲】
【請求項１】
画像または文書のページ単位のデータである表示用データを出力する表示面を備えた複数枚の電子ペーパを備え、ネットワークを介して外部機器と接続する表示装置であって、
前記電子ペーパに表示させるコンテンツに関する情報であり、少なくとも当該コンテンツの表示用データを含むコンテンツ情報を前記ネットワークを介して取得するコンテンツ情報取得手段と、
前記コンテンツ情報取得手段により取得された前記コンテンツ情報を前記電子ペーパに割り当てる割当手段と、
前記割当手段により割り当てられた各電子ペーパに対応する前記コンテンツ情報に含まれる表示用データを各電子ペーパに表示させる表示制御手段と、
前記複数枚の電子ペーパのうちの１枚である特定ペーパに他の電子ペーパを関連付ける関連付手段と、
前記関連付手段により前記特定ペーパに関連付けられた関連ペーパに表示されている表示情報を前記特定ペーパに表示されている表示内容に追加するための情報追加先を、前記割当手段により各電子ペーパに割り当てられているコンテンツ情報に基づき決定する情報追加先決定手段と、
前記情報追加先決定手段により決定された情報追加先に、前記関連ペーパに割り当てられているコンテンツ情報を送信する追加情報送信手段とを備えたことを特徴とする表示装置。
【請求項２】
前記複数枚の電子ペーパは、綴じ部材により綴じられており、
前記関連付手段は、新たな電子ペーパが前記綴じ部材に追加された場合に、当該追加された電子ペーパである追加ペーパの前又は後に位置する電子ペーパを前記特定ペーパとし、当該追加ペーパを前記関連ペーパとして関連付けを行うことを特徴とする請求項１に記載の表示装置。
【請求項３】
前記コンテンツ情報は、当該コンテンツに追加する情報の送信先である追加先アドレス情報を含み、
前記情報追加先決定手段は、前記特定ペーパの前記追加先アドレス情報を前記情報追加先として決定し、
前記追加情報送信手段は、前記関連ペーパの表示用データを前記追加先アドレス情報に送信することを特徴とする請求項１又は２に記載の表示装置。
【請求項４】
前記コンテンツ情報は、当該コンテンツのネットワーク上の所在を示す所在情報と、当該コンテンツに情報の参照先を追加するための参照先アドレス情報を含み、
前記情報追加先決定手段は、前記特定ペーパの前記参照先アドレス情報を前記情報追加先として決定し、
前記追加情報送信手段は、前記関連ペーパの前記所在情報を前記参照先アドレス情報に送信することを特徴とする請求項１から３のいずれかに記載の表示装置。
【請求項５】
前記特定ペーパの前記所在情報を前記関連ペーパの前記参照先アドレス情報に送信する参照情報送信手段を備えたことを特徴とする請求項４に記載の表示装置。
【請求項６】
前記出力装置は、画像を出力する表示面を備えた電子ペーパ部を備えたことを特徴とする請求項１から５のいずれかに記載の表示装置。
【請求項７】
前記電子ペーパは、
当該電子ペーパの前記綴じ部材内における位置を示す情報である位置情報を検出する位置検出手段を備え、
前記出力装置は、
前記位置検出手段により検出された位置情報を、前記電子ペーパから取得する位置情報取得手段と、
前記位置情報取得手段により取得された前記位置情報に基づいて、当該表示装置に綴じられている各電子ペーパの綴じ順序を算出する順序算出手段とを備え、
前記関連付手段は、前記順序算出手段により算出された綴じ順序に基づき関連づけを行うことを特徴とする請求項１から６のいずれかに記載の表示装置。
【請求項８】
前記電子ペーパは、貫通孔を備え、
前記綴じ部材は、前記貫通孔を貫通する貫通部を備え、
前記電子ペーパの前記位置検出手段は、前記貫通部のいずれの位置と接触しているのかを検出することを特徴とする請求項７に記載の表示装置。
【請求項９】
表示面を備えた複数枚の電子ペーパに表示する表示用データの出力を制御する出力装置であって、
前記電子ペーパに表示させるコンテンツに関する情報であり、少なくとも当該コンテンツの表示用データを含むコンテンツ情報を前記ネットワークを介して取得するコンテンツ情報取得手段と、
前記コンテンツ情報取得手段により取得された前記コンテンツ情報を前記電子ペーパに割り当てる割当手段と、
前記割当手段により割り当てられた各電子ペーパに対応する前記コンテンツ情報に含まれる表示用データを各電子ペーパに表示させる表示制御手段と、
前記複数枚の電子ペーパのうちの１枚である特定ペーパに他の電子ペーパを関連付ける関連付手段と、
前記関連付手段により前記特定ペーパに関連付けられた関連ペーパに表示されている表示内容を前記特定ペーパに表示されている表示内容に追加するための情報追加先を、前記割当手段により各電子ペーパに割り当てられているコンテンツ情報に基づき決定する情報追加先決定手段と、
前記情報追加先決定手段により決定された情報追加先に、前記関連ペーパに割り当てられているコンテンツ情報を送信する追加情報送信手段とを備えたことを特徴とする出力装置。
【請求項１０】
前記複数枚の電子ペーパは、綴じ部材により綴じられており、
前記関連付手段は、新たな電子ペーパが前記綴じ部材に追加された場合に、当該追加された電子ペーパである追加ペーパの前又は後に位置する電子ペーパを前記特定ペーパとし、当該追加ペーパを前記関連ペーパとして関連付けを行うことを特徴とする請求項９に記載の出力装置。
【請求項１１】
前記コンテンツ情報は、当該コンテンツに追加する情報の送信先である追加先アドレス情報を含み、
前記情報追加先決定手段は、前記特定ペーパの前記追加先アドレス情報を前記情報追加先として決定し、
前記追加情報送信手段は、前記関連ペーパの表示用データを前記追加先アドレス情報に送信することを特徴とする請求項９又は１０に記載の出力装置。
【請求項１２】
前記コンテンツ情報は、当該コンテンツのネットワーク上の所在を示す所在情報と、当該コンテンツに情報の参照先を追加するための参照先アドレス情報を含み、
前記情報追加先決定手段は、前記特定ペーパの前記参照先アドレス情報を前記情報追加先として決定し、
前記追加情報送信手段は、前記関連ペーパの前記所在情報を前記参照先アドレス情報に送信することを特徴とすることを特徴とする請求項９から１１のいずれかに記載の出力装置。
【請求項１３】
前記特定ペーパの前記所在情報を前記関連ペーパの前記参照先アドレス情報に送信する参照情報送信手段を備えたことを特徴とする請求項１２に記載の出力装置。
【請求項１４】
画像を出力する表示面を備えた電子ペーパ部を備えたことを特徴とする請求項９から１３のいずれかに記載の出力装置。
【発明の詳細な説明】
【技術分野】
【０００１】
本発明は、複数枚の電子ペーパを束ねて保持し、これらの電子ペーパに出力装置から表示用データを出力して文書を閲覧可能とする表示装置及び出力装置に関するものである。
【背景技術】
【０００２】
近年、電子化された文書を閲覧するために、紙媒体に替わるものとして、柔軟で薄型の表示媒体である電子ペーパが開発されている。電子ペーパは、何度も上書きしたり消去したりして表示されている文書を更新することができるが、大量のデータからなる文書を閲覧したいときには、書籍やノートのように複数枚を束ねて使うことが便利であると考えられる。そこで、紙と同様に複数の電子ペーパを束ねてバインダタイプにして使用することも提案されている。
【０００３】
このようなバインダタイプの電子ペーパでは、使用者が適宜各電子ペーパをバインダに挿入したり取り外したりでき、表示内容も電子ペーパの着脱に応じて変更されるのが好ましい。さらに、目次やサムネイル表示によって、複数枚の電子ペーパの内容が一覧でき、電子ペーパの着脱に応じてこのような目次やサムネイル表示が更新される技術も提案されている（例えば、特許文献１）。
【０００４】
ところで、このような電子ペーパの利用方法としては、書籍の閲覧の他に、携帯閲覧端末としての利用が考えられる。すなわち、インターネット等のネットワーク上に多く置かれたウェブサイトの内容を電子ペーパにダウンロードして持ち歩き、ネットワークから離れた場所でゆっくり閲覧するというような利用方法である。インターネットでは、近年、ホームページに加え、日付順にコンテンツが構成される日記型のウェブログ（weblog）（以下、「ブログ」という。）も広く普及している。このようなブログでは、日々記事が更新されることが多いため、お気に入りのブログを定期的に巡回して閲覧することがよく行われている。このような場合に、ブログの記事を電子ペーパにダウンロードしておけば、ネットワーク外でゆっくり閲覧することができる。
【０００５】
さらに、ブログの特徴として、記事に対して閲覧者がコメントを入力することができたり、その記事を引用して自分の記事を投稿した場合にリンクを張ったことを通知して相互にリンクを張るトラックバックが利用できる。そこで、電子ペーパにダウンロードしたブログを閲覧しているときにも、コメントやトラックバックが利用できると便利である。
【特許文献１】特開２００６−３９８３４号公報
【発明の開示】
【発明が解決しようとする課題】
【０００６】
しかしながら、電子ペーパにはコメントを入力したり、リンクを張ったりすることが可能な入力手段は設けられていないことが多い。このため、閲覧中にコメントやトラックバックをしようと思っても、その場で行うことができず、不便であった。
【０００７】
本発明は上記問題を解決するためになされたものであり、入力手段を持たない電子ペーパを用いて元の記事にリンクを張ることが可能な表示装置及び出力装置を提供することを目的とする。
【課題を解決するための手段】
【０００８】
上記目的を達成するために、本発明の請求項１に記載の表示装置は、画像または文書のページ単位のデータである表示用データを出力する表示面を備えた複数枚の電子ペーパを備え、ネットワークを介して外部機器と接続する表示装置であって、前記電子ペーパに表示させるコンテンツに関する情報であり、少なくとも当該コンテンツの表示用データを含むコンテンツ情報を前記ネットワークを介して取得するコンテンツ情報取得手段と、前記コンテンツ情報取得手段により取得された前記コンテンツ情報を前記電子ペーパに割り当てる割当手段と、前記割当手段により割り当てられた各電子ペーパに対応する前記コンテンツ情報に含まれる表示用データを各電子ペーパに表示させる表示制御手段と、前記綴じ部材により束ねられている複数枚の電子ペーパのうちの１枚である特定ペーパに他の電子ペーパを関連付ける関連付手段と、前記関連付手段により前記特定ペーパに関連付けられた関連ペーパに表示されている表示情報を前記特定ペーパに表示されている表示内容に追加するための情報追加先を、前記割当手段により各電子ペーパに割り当てられているコンテンツ情報に基づき決定する情報追加先決定手段と、前記情報追加先決定手段により決定された情報追加先に、前記関連ペーパに割り当てられているコンテンツ情報を送信する追加情報送信手段とを備えたことを特徴とする。
【０００９】
また、本発明の請求項２に記載の表示装置は、請求項１に記載の発明の構成に加え、前記複数枚の電子ペーパが、綴じ部材により綴じられており、前記関連付手段は、新たな電子ペーパが前記綴じ部材に追加された場合に、当該追加された電子ペーパである追加ペーパの前又は後に位置する電子ペーパを前記特定ペーパとし、当該追加ペーパを前記関連ペーパとして関連付けを行うことを特徴とする。
【００１０】
また、本発明の請求項３に記載の表示装置は、請求項１又は２に記載の発明の構成に加え、前記コンテンツ情報が、当該コンテンツに追加する情報の送信先である追加先アドレス情報を含み、前記情報追加先決定手段は、前記特定ペーパの前記追加先アドレス情報を前記情報追加先として決定し、前記追加情報送信手段は、前記関連ペーパの表示用データを前記追加先アドレス情報に送信することを特徴とする。
【００１１】
また、本発明の請求項４に記載の表示装置は、請求項１から３のいずれかに記載の発明の構成に加え、前記コンテンツ情報が、当該コンテンツのネットワーク上の所在を示す所在情報と、当該コンテンツに情報の参照先を追加するための参照先アドレス情報を含み、前記情報追加先決定手段は、前記特定ペーパの前記参照先アドレス情報を前記情報追加先として決定し、前記追加情報送信手段は、前記関連ペーパの前記所在情報を前記参照先アドレス情報に送信することを特徴とする。
【００１２】
また、本発明の請求項５に記載の表示装置は、請求項４に記載の発明の構成に加え、前記特定ペーパの前記所在情報を前記関連ペーパの前記参照先アドレス情報に送信する参照情報送信手段を備えたことを特徴とする。
【００１３】
また、本発明の請求項６に記載の表示装置は、請求項１から５のいずれかに記載の発明の構成に加え、前記出力装置が、画像を出力する表示面を備えた電子ペーパ部を備えたことを特徴とする。
【００１４】
また、本発明の請求項７に記載の表示装置は、請求項１から６のいずれかに記載の発明の構成に加え、前記電子ペーパが、当該電子ペーパの前記綴じ部材内における位置を示す情報である位置情報を検出する位置検出手段を備え、前記出力装置は、前記位置検出手段により検出された位置情報を、前記電子ペーパから取得する位置情報取得手段と、前記位置情報取得手段により取得された前記位置情報に基づいて、当該表示装置に綴じられている各電子ペーパの綴じ順序を算出する順序算出手段とを備え、前記関連付手段は、前記順序算出手段により算出された綴じ順序に基づき関連づけを行うことを特徴とする。
【００１５】
また、本発明の請求項８に記載の表示装置は、請求項７に記載の発明の構成に加え、前記電子ペーパが、貫通孔を備え、前記綴じ部材は、前記貫通孔を貫通する貫通部を備え、前記電子ペーパの前記位置検出手段は、前記貫通部のいずれの位置と接触しているのかを検出することを特徴とする。
【００１６】
また、本発明の請求項９に記載の出力装置は、表示面を備えた複数枚の電子ペーパに表示する表示用データの出力を制御する出力装置であって、前記電子ペーパに表示させるコンテンツに関する情報であり、少なくとも当該コンテンツの表示用データを含むコンテンツ情報を前記ネットワークを介して取得するコンテンツ情報取得手段と、前記コンテンツ情報取得手段により取得された前記コンテンツ情報を前記電子ペーパに割り当てる割当手段と、前記割当手段により割り当てられた各電子ペーパに対応する前記コンテンツ情報に含まれる表示用データを各電子ペーパに表示させる表示制御手段と、前記複数枚の電子ペーパのうちの１枚である特定ペーパに他の電子ペーパを関連付ける関連付手段と、前記関連付手段により前記特定ペーパに関連付けられた関連ペーパに表示されている表示内容を前記特定ペーパに表示されている表示内容に追加するための情報追加先を、前記割当手段により各電子ペーパに割り当てられているコンテンツ情報に基づき決定する情報追加先決定手段と、前記情報追加先決定手段により決定された情報追加先に、前記関連ペーパに割り当てられているコンテンツ情報を送信する追加情報送信手段とを備えたことを特徴とする。
【００１７】
また、本発明の請求項１０に記載の出力装置は、請求項９に記載の発明の構成に加え、前記複数枚の電子ペーパは、綴じ部材により綴じられており、前記関連付手段が、新たな電子ペーパが前記綴じ部材に追加された場合に、当該追加された電子ペーパである追加ペーパの前又は後に位置する電子ペーパを前記特定ペーパとし、当該追加ペーパを前記関連ペーパとして関連付けを行うことを特徴とする。
【００１８】
また、本発明の請求項１１に記載の出力装置は、請求項９又は１０に記載の発明の構成に加え、前記コンテンツ情報が、当該コンテンツに追加する情報の送信先である追加先アドレス情報を含み、前記情報追加先決定手段は、前記特定ペーパの前記追加先アドレス情報を前記情報追加先として決定し、前記追加情報送信手段は、前記関連ペーパの表示用データを前記追加先アドレス情報に送信することを特徴とする。
【００１９】
また、本発明の請求項１２に記載の出力装置は、請求項９から１１のいずれかに記載の発明の構成に加え、前記コンテンツ情報が、当該コンテンツのネットワーク上の所在を示す所在情報と、当該コンテンツに情報の参照先を追加するための参照先アドレス情報を含み、前記情報追加先決定手段は、前記特定ペーパの前記参照先アドレス情報を前記情報追加先として決定し、前記追加情報送信手段は、前記関連ペーパの前記所在情報を前記参照先アドレス情報に送信することを特徴とすることを特徴とする。
【００２０】
また、本発明１３の請求項に記載の出力装置は、請求項１２に記載の発明の構成に加え、前記特定ペーパの前記所在情報を前記関連ペーパの前記参照先アドレス情報に送信する参照情報送信手段を備えたことを特徴とする。
【００２１】
また、本発明の請求項１４に記載の出力装置は、請求項９から１３のいずれかに記載の発明の構成に加え、画像を出力する表示面を備えた電子ペーパ部を備えたことを特徴とする。
【発明の効果】
【００２２】
本発明の請求項１に記載の表示装置は、ネットワークを介してコンテンツ情報を取得し、そこに含まれる表示用データを各電子ペーパに割り当て、表示させる。また、複数の電子ペーパ間で関連づけを行い、その電子ペーパのコンテンツ情報に含まれる情報追加先に、関連づけられた電子ペーパのコンテンツ情報を送信することにより、表示情報を追加する。従って、表示情報を表示させた電子ペーパ間で関連づけを行うだけで、元のコンテンツに対して情報を追加することができるので、閲覧時に入力手段がなくても元の記事にコメントやリンク等の情報を追加することが簡単にできる。
【００２３】
また、本発明の請求項２に記載の表示装置は、請求項１に記載の発明の効果に加え、複数枚の電子ペーパが、綴じ部材により綴じられており、その綴じ部材に新たな電子ペーパが追加されたときに前後の電子ペーパに対して関連づけを行う。綴じ部材を用いているため、電子ペーパの追加を所望の位置に行うことができるので、その特性を利用して関連づけを非常に簡便に実施することができる。
【００２４】
また、本発明の請求項３に記載の表示装置は、請求項１又は２に記載の発明の効果に加え、コンテンツ情報に追加先アドレス情報が含まれるので、関連づけた電子ペーパの表示用データを特定ペーパの追加先アドレス情報に送信することにより、特定ペーパのコンテンツに対してコメントを追加することができる。
【００２５】
また、本発明の請求項４に記載の表示装置は、請求項１から３のいずれかに記載の発明の効果に加え、コンテンツ情報に所在情報と参照先アドレス情報が含まれるので、特定ペーパに表示されたコンテンツに関連ペーパに表示されたコンテンツをトラックバックすることができる。
【００２６】
また、本発明の請求項５に記載の表示装置は、請求項４に記載の発明の効果に加え、関連ペーパに表示されたコンテンツに特定ペーパに表示されたコンテンツをトラックバックすることができる。
【００２７】
また、本発明の請求項６に記載の表示装置は、請求項１から５のいずれかに記載の発明の効果に加え、出力装置も電子ペーパ部を備えるので、その電子ペーパ部にも表示用データを表示させることができ、電子ペーパでない制御部を有する場合に比べて多くのデータが表示できる。
【００２８】
また、本発明の請求項７に記載の表示装置は、請求項１から６のいずれかに記載の発明の効果に加え、電子ペーパが位置検出手段により綴じ部材内における自身の位置をそれぞれ検出し、これらの位置情報が位置情報取得手段により取得される。取得した位置情報により、各電子ペーパと電子ペーパ間の並び順が特定されるので、その特定された並び順により電子ペーパ間で関連づけを行うことができる。
【００２９】
また、本発明の請求項８に記載の表示装置は、請求項７に記載の発明の効果に加え、貫通孔に貫通部を通すだけで電子ペーパを綴じることができる。
【００３０】
また、本発明の請求項９に記載の出力装置は、ネットワークを介してコンテンツ情報を取得し、そこに含まれる表示用データを各電子ペーパに割り当て、表示させる。複数の電子ペーパ間で関連づけを行い、その電子ペーパのコンテンツ情報に含まれる情報追加先に、関連づけられた電子ペーパのコンテンツ情報を送信することにより、表示情報を追加する。従って、表示情報を表示させた電子ペーパ間で関連づけを行うだけで、元のコンテンツに対して情報を追加することができるので、閲覧時に入力手段がなくても元の記事にコメントやリンク等の情報を追加することが簡単にできる。
【００３１】
また、本発明の請求項１０に記載の出力装置は、請求項９に記載の発明の効果に加え、複数枚の電子ペーパが、綴じ部材により綴じられており、その綴じ部材に新たな電子ペーパが追加されたときに前後の電子ペーパに対して関連づけを行う。綴じ部材を用いているため、電子ペーパの追加を所望の位置に行うことができるので、その特性を利用して関連づけを非常に簡便に実施することができる。
【００３２】
また、本発明の請求項１１に記載の出力装置は、請求項９又は１０に記載の発明の効果に加え、コンテンツ情報に追加先アドレス情報が含まれるので、関連づけた電子ペーパの表示用データを特定ペーパの追加先アドレス情報に送信することにより、特定ペーパのコンテンツに対してコメントを追加することができる。
【００３３】
また、本発明の請求項１２に記載の出力装置は、請求項９から１１のいずれかに記載の発明の効果に加え、コンテンツ情報に所在情報と参照先アドレス情報が含まれるので、特定ペーパに表示されたコンテンツに関連ペーパに表示されたコンテンツをトラックバックすることができる。
【００３４】
また、本発明１３の請求項に記載の出力装置は、請求項１２に記載の発明の効果に加え、関連ペーパに表示されたコンテンツに特定ペーパに表示されたコンテンツをトラックバックすることができる。
【００３５】
また、本発明の請求項１４に記載の出力装置は、請求項９から１３のいずれかに記載の発明の効果に加え、電子ペーパ部を備えるので、その電子ペーパ部にも表示用データを表示させることができ、電子ペーパでない制御部を有する場合に比べて多くのデータが表示できる。
【発明を実施するための最良の形態】
【００３６】
以下、本発明の実施の形態である表示装置１について図面を参照して説明する。表示装置１は、複数の電子ペーパを備えたバインダタイプである。まず、図１を参照して、表示装置１の物理的構成について説明する。図１は、表示装置１の外観を模式的に示した外観図である。
【００３７】
図１に示すように、表示装置１は、表示部３６（図５参照）を備えた電子ペーパである略長方形のマスタペーパ３と、マスタペーパ３と同様の形状で表示部４６を備えたスレーブペーパ４を備えている。そして、マスタペーパ３及び各スレーブペーパ４は、４つの貫通孔６１〜６４を備え、それぞれの貫通孔を貫通する４つのリング２１〜２４からなる綴じ部材２により束ねて綴じられている。本実施形態では、スレーブペーパ４が４枚の場合を例にして説明する。以下、マスタペーパ３及びスレーブペーパ４を総称して電子ペーパ５と呼ぶ。
【００３８】
電子ペーパ５には、電源供給用貫通孔６１，接地用貫通孔６２，通信用貫通孔６３，位置検出用貫通孔６４の４つの貫通孔が設けられている。以下、これらの貫通孔を総称して貫通孔６という。そして、綴じ部材２は、電源供給用リング２１，接地用リング２２，通信用リング２３，位置検出用リング２４の４つのリングで構成されている。電源供給用貫通孔６１には電源供給用リング２１を挿入し、接地用貫通孔６２には接地用リング２２を挿入し、通信用貫通孔６３には通信用リング２３を挿入し、位置検出用貫通孔６４には位置検出用リング２４を挿入して、電子ペーパ５が綴じられる。また、各リング２１〜２４はマスターペーパ３に固定されている。そして、スレーブペーパ４の各貫通孔６の周囲には導電性のブラシ（図示外）が貫通孔の中心に向かって設置されており、ブラシと各リングが確実に接触するようになっている。
【００３９】
電源供給用リング２１は、マスタペーパ３に備えられているバッテリー５４（図５参照）に接続され、スレーブペーパ４へ電源を供給する。また、接地用リング２２は、マスタペーパ３に備えられている０Ｖのアース５５（図５参照）に接続され、スレーブペーパ４からの接地に利用される。通信用リング１３は、マスタペーパ３に備えられている内部通信部３５及びスレーブペーパ４に備えられている内部通信部４５を接続し、電子ペーパ５間で情報のやり取りを行うのに使用される。位置検出用リング２４は、電子ペーパ５がどのような順で綴じ部材１０に綴じられているかを検出するのに利用される。
【００４０】
ここで、図２を参照して、電源供給用リング２１について説明する。図２は、電源供給用リング１１の断面を示す模式図である。図２に示すように、電源供給用リング１１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図２に示すように、電源供給用リング１１の開閉部１１９の図２における右側の端部を端部１１９１、左側の端部を端部１１９２とする。
【００４１】
電源供給用リング２１の内部は絶縁体１１３であり、その絶縁体１１３は表面が導体１１４で覆われている。そして、図２に示すように、電源供給用リング１１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００４２】
尚、マスタペーパ３の電源供給用貫通孔６１内のマスタペーパ３の端側には、１つの凹部が設けられている。そして、その凹部には、バッテリー５４（図５参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００４３】
また、スレーブペーパ４の電源供給用貫通孔６１の内側には、導電性のブラシ（図示外）が設けられており、導体１１４と接触している。そして、このブラシから取得された電源がスレーブペーパ４を駆動させるための電源とされる。
【００４４】
次に、図３及び図４を参照して位置検出用リング２４及び位置検出用リング２４による電子ペーパ５の綴じ順序の検出方法について説明する。図３は、位置検出用リング２４の断面を示す模式図である。図４は、位置検出用リング２４に１枚のマスタペーパ３と４枚のスレーブペーパ４とが綴じられている状態を示す模式図である。
【００４５】
図３に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図３に示す、位置検出用リング２４の開閉部１４９の図５における右側の端部を端部１４９１、左側の端部を端部１４９２とする。
【００４６】
位置検出用リング２４の内部は絶縁体１４３であり、その絶縁体１４３は表面がカーボン等の電気抵抗体１４４で覆われている。そして、図３に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００４７】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮを検出し、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００４８】
尚、マスタペーパ３の位置検出用貫通孔６４の内部には、２つの凹部が設けられており、マスタぺーパ３が位置検出用リング２４に固定される。この凹部は、マスタペーパ３の短手方向に平行に向かい合う位置に設けられている。そして、マスタペーパ３の内側の凹部には、バッテリー５４（図５参照）に接続された導線の一端及び開閉検出部３９（図５参照）に接続された導線の一端が接続されており、外側の凹部には、アース５５（図５参照）に接続された導線の一端が接続されている。
【００４９】
そして、位置検出用リング２４の凸部１４１，１４２にマスタペーパ３の凹部が嵌合され、位置検出用リング２４はマスタペーパ３に固定されている。従って、導線１４６にはバッテリー５４から５Ｖの電圧が印加され、導線１４６の接続点１４６２から電気抵抗体１４４に電流が流れ、導線１４７の接続点１４７２から導線１４７へ、そしてアース６５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧が下がる。すなわち、位置検出用リング２４の端部１４９１から端部１４９２へ向かって、電圧が下がっていく。
【００５０】
また、スレーブペーパ４には、電圧計である電圧計測部４８が設けられている。そして、位置検出用貫通孔６４に設けられたブラシが電圧計測部４８の端子として機能し、位置検出用貫通孔６４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。なお、以下、Ａ／Ｄ変換した値をＡ／Ｄ変換値と呼ぶこととする。後述する表示コンテンツ管理テーブル（図７参照）においては、このＡ／Ｄ変換値が位置検出用リング２４内での電子ペーパ５の位置を示す「環内位置」の値として使用される。
【００５１】
図４に示すように、本実施形態では、マスタペーパ３の固定される凸部１４１，１４２が設けられている位置でマスタペーパ３により取得されるＡ／Ｄ変換値は「１２８」である。そして、端部１４９１にスレーブペーパ４が存在する場合には、スレーブペーパ４の電圧計測部４８において計測された電圧値が位置検出部４７においてＡ／Ｄ変換値「２５５」と検出され、図４における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図４における端部１４９２の左隣にスレーブペーパ４が存在する場合には、Ａ／Ｄ変換値は「１」と検出される。そして、マスタペーパ３の図４における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。
【００５２】
次に、図５〜図９を参照して、表示装置１の電気的構成について説明する。図５は、表示装置１の構成を示すブロック図である。図６は、マスタペーパ３のＲＡＭ３３のデータ構造を示す構成図である。図７は、表示コンテンツ管理テーブル記憶領域３３２に記憶された表示コンテンツ管理テーブルのデータ構造を示す構成図である。図８は、スレーブペーパ４のＲＡＭ４３のデータ構造を示す構成図である。図９は、スレーブペーパ４のＥＥＰＲＯＭ４４のデータ構造を示す構成図である。
【００５３】
図５に示すように、表示装置１は、マスタペーパ３とスレーブペーパ４とから構成されている。尚、スレーブペーパ４は複数接続可能であるが、電気的構成はどのスレーブペーパ４でも同様であるため、図５においては１枚のスレーブペーパ４のみを記載している。
【００５４】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の識別情報である。
【００５５】
また、パーソナルコンピュータ等の外部機器と通信するための通信回路を備え、ネットワーク上からコンテンツ情報を取得する通信部３０と、表示用データを閲覧可能に表示するための表示部３６と、表示用データ又は表示用データの所在情報を記憶するメモリカード３８を読み込むためのメモリカードインタフェイス（Ｉ／Ｆ）１３７と、通信用リング２３に接続してスレーブペーパ４との間でデータ通信を行うための通信回路を備えた内部通信部３５と、時間を計測するための計時装置３６とも同様にバスを介してＣＰＵ３１に接続されている。メモリカード３８にはパーソナルコンピュータ上のコンテンツ情報管理ソフトウェアによって、表示用データ又は表示用データの所在情報が書き込まれている。尚、通信部３０が本発明のコンテンツ情報取得手段に相当する。
【００５６】
さらに、マスタペーパ３には、マスタペーパ３及び綴じ部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。
【００５７】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とを備えている。そして、ＲＯＭ４２とＲＡＭ４３とＥＥＰＲＯＭ４４とはバスを介してＣＰＵ４１に接続されている。ＥＥＰＲＯＭ４０４に記憶された製造番号は、それぞれのスレーブペーパ４に固有の番号であり、他のスレーブペーパ４から一意に識別できるスレーブペーパ４の識別情報である。また、表示用データを閲覧可能に表示するための表示部４６も、ＣＰＵ４１に接続されている。
【００５８】
そして、通信用リング２３に接続してマスタペーパ３との間でデータ通信を行うための通信回路を備えた内部通信部４５も同様にバスを介してＣＰＵ４０１に接続されている。さらに、位置検出用リング２４の電気抵抗体１４４（図３参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４６もＣＰＵ５２にバスを介して接続されている。尚、位置検出部４７が本発明の位置検出手段に相当する。
【００５９】
次に、図６を参照して、マスタペーパ３のＲＡＭ３３について説明する。図６に示すように、ＲＡＭ３３には、現在表示装置１に綴じられている電子ペーパ５の数を記憶する接続ペーパ数記憶領域３３１，どの電子ペーパ５にどのコンテンツを表示させるのかを示す表示コンテンツ管理テーブル（後述）を記憶する表示コンテンツ管理テーブル記憶領域３３２，更新前の表示コンテンツ管理テーブルを記憶する前状態管理テーブル記憶領域３３３，表示部３６に表示する表示用データを格納するためのページデータ展開領域３３４，メモリカード３６へのアクセス時に一時使用領域として使用するメモリカードアクセス用ワークエリア３３５，一時的に使用するための表示処理ワークエリア３３６が設けられている。尚、ＲＡＭ３３には、図示外のその他の記憶領域も設けられている。
【００６０】
次に、図７を参照して表示コンテンツ管理テーブル記憶領域３３２に記憶された表示コンテンツ管理テーブルについて説明する。表示コンテンツ管理テーブルは、綴じられている電子ペーパの順序を示すペーパページ番号３３２１，各電子ペーパの製造番号であるペーパ番号３３２２，その電子ペーパの位置情報を０〜２５５の値で示す環内位置３３２７，その電子ペーパに表示しているコンテンツの番号３３２３，表示中のコンテンツのネットワーク上の所在を示すコンテンツアドレス３３２４，表示中のコンテンツのタイトル３３２５，表示中のコンテンツのコメント送信先及びトラックバック送信先３３２６，その電子ペーパが綴じ部材２に接続されているか否かを示す接続状態３３２８の項目のデータが各電子ペーパ５について格納されている。
【００６１】
次に、図８を参照して、スレーブペーパ４のＲＡＭ４３について説明する。図８に示すように、ＲＡＭ４３には、位置検出部４７の検出結果である位置情報を記憶する接続位置記憶領域４３１，綴じられている電子ペーパの中で当該スレーブペーパ４が何番目かを示すペーパページ番号を記憶するペーパページ番号記憶領域４３２，表示部４６に表示する表示用データを格納するためのページデータ展開領域４３３，図示外のその他の記憶領域が設けられている。
【００６２】
次に、図９を参照して、スレーブペーパ４のＥＥＰＲＯＭ４４について説明する。図９に示すように、ＥＥＰＲＯＭ４４には、スレーブペーパ４の製造番号を記憶したスレーブペーパ製造番号記憶領域４４１と、スレーブペーパ４の表示部４６に表示されているコンテンツのネットワーク上のアドレスを記憶する表示コンテンツアドレス情報記憶領域４４２と、表示部４６に表示されているコンテンツのコメント送信先アドレスを記憶したコメント送信先アドレス記憶領域４４３と、表示部４６に表示されているコンテンツのトラックバックピングの送信先を記憶したトラックバック送信先アドレス記憶領域４４４と、表示部４６に表示されているコンテンツのタイトルを記憶する表示コンテンツタイトル記憶領域４４５とが設けられている。スレーブペーパ製造番号記憶領域４４１に記憶された製造番号は、それぞれのスレーブペーパ４に固有の番号であり、他のスレーブペーパ４から一意に識別できるスレーブペーパ４の識別情報である。
【００６３】
次に、以上の構成を有する表示装置１の動作について、図１０〜図１６を参照して説明する。まず、図１０〜図１５を参照して、マスタペーパの動作について説明する。図１０は、マスタペーパ３のメイン処理（マスタペーパメイン処理）のフローチャートである。図１１は、マスタペーパメイン処理の中で実行されるペーパ情報収集処理のフローチャートである。図１２は、マスタペーパメイン処理の中で実行されるデータ表示処理のフローチャートである。図１３は、マスタペーパメイン処理の中で実行される更新処理のフローチャートである。図１４は、更新処理の中で実行される文書結合処理のフローチャートである。図１５は、文書結合処理で用いられる結合テーブルの例を示す模式図である。
【００６４】
図示しない電源ボタンによりマスタペーパ３の電源がＯＮされると、マスタペーパメイン処理が開始される。図１０に示すように、マスタペーパメイン処理が開始されると、まず、表示装置１に綴じられているペーパに関する情報であるペーパ情報を収集するペーパ情報収集処理を実行する（Ｓ２０）。尚、ペーパ情報とは、どのスレーブペーパ４がどこに位置しているかを示す位置情報、そのスレーブペーパ４に表示中のコンテンツに関する情報（タイトル、アドレス、コメント送信先アドレス、トラックバック送信先アドレス）である。
【００６５】
ここで、ペーパ情報収集処理の詳細について、図１１を参照して説明する。ペーパ情報収集処理では、０〜２５５の位置にあるスレーブペーパ４に順に製造番号を問い合わせ、どのスレーブペーパ４がどこに位置しているかの対応関係を表示コンテンツ管理テーブルに記憶させる。また、スレーブペーパ４に、表示されているコンテンツのネットワーク上のアドレス、コンテンツのタイトル、コメント送信先、トラックバック送信先を順に問い合わせ、表示コンテンツ管理テーブルに記憶させる。
【００６６】
図１１に示すように、まず走査位置に０をセットして初期化する。そして、マスタペーパ３自身は表示装置１内に綴じられていることから、まずマスタペーパ３についてのペーパ情報を記憶する。すなわち、接続ペーパ数記憶領域３３１に接続ペーパ数を１と記憶し、マスタペーパ３の製造番号と位置情報を表示コンテンツ管理テーブルに記憶する（Ｓ２１）。
【００６７】
次に、０の走査位置から順にスレーブペーパ４に対して製造番号を問い合わせる処理を行う。問い合わせた走査位置にスレーブペーパ４が存在しない場合には応答が返ってこないので、その場合にはタイムアウト処理を行う。そこで、まず応答待ちのためのタイマをセットする（Ｓ２２）。次に、対象とする走査位置にある可能性のあるスレーブペーパ４に対して製造番号を問い合わせる（Ｓ２３）。尚、本実施形態では、マスタペーパ３とスレーブペーパ４間のデータ送信は、（宛先タイプ，宛先位置，宛先製造番号，コマンド，データ）のような形式を用いて行っている。ここでは、例えば、０の走査位置に対して製造番号を問い合わせるコマンド（Ｓ（スレーブペーパ），０，＊，ＲＥＱＩＤ）を送信する。
【００６８】
次に、このコマンド送信に対してスレーブペーパ４から応答が得られたか否かを判断する（Ｓ２４）。応答があった場合には（Ｓ２４：ＹＥＳ）、応答にあったスレーブペーパ４の製造番号を表示コンテンツ管理テーブルのペーパ番号３３２２に、今回対象としている走査位置を環内位置３３２４に記憶する（Ｓ２５）。
【００６９】
次に、応答のあったスレーブペーパ４の製造番号に対して、表示中のコンテンツのアドレスを問い合わせるコマンドを送信する。ここでは、例えば、（Ｓ，＊，応答製造番号，ＲＥＱＲＡＤＲ）のようなコマンドが送信される。後述のように、スレーブペーパ４は、このコマンドを受信したら、ＥＥＰＲＯＭ４４の表示コンテンツアドレス記憶領域４４２から表示中のコンテンツのアドレスを取り出し、送信してくる（図１６、Ｓ３１７参照）。そこで、この応答を待って、得られたアドレスを表示コンテンツ管理テーブルに記録する（Ｓ２６）。
【００７０】
続いて、応答のあったスレーブペーパ４の製造番号に対して、表示中のコンテンツのタイトルを問い合わせるコマンドを送信する。ここでは、例えば、（Ｓ，＊，応答製造番号，ＲＥＱＲＴＩＴＬＥ）のようなコマンドが送信される。後述のように、スレーブペーパ４は、このコマンドを受信したら、ＥＥＰＲＯＭ４４の表示コンテンツタイトル記憶領域４４５から表示中のコンテンツのタイトルを取り出し、送信してくる（図１６、Ｓ３２８参照）。そこで、この応答を待って、得られたタイトルを表示コンテンツ管理テーブルに記録する（Ｓ２７）。
【００７１】
次に、応答のあったスレーブペーパ４の製造番号に対して、表示中のコンテンツのコメント送信先を問い合わせるコマンドを送信する。ここでは、例えば、（Ｓ，＊，応答製造番号，ＲＥＱＲＣＯＭ）のようなコマンドが送信される。後述のように、スレーブペーパ４は、このコマンドを受信したら、ＥＥＰＲＯＭ４４のコメント送信先アドレス記憶領域４４３から表示中のコンテンツのコメント送信先アドレスを取り出し、送信してくる（図１６、Ｓ３３０参照）。そこで、この応答を待って、得られたコメント送信先を表示コンテンツ管理テーブルに記録する（Ｓ２８）。
【００７２】
続いて、応答のあったスレーブペーパ４の製造番号に対して、表示中のコンテンツのトラックバック送信先を問い合わせるコマンドを送信する。ここでは、例えば、（Ｓ，＊，応答製造番号，ＲＥＱＲＴＢ）のようなコマンドが送信される。後述のように、スレーブペーパ４は、このコマンドを受信したら、ＥＥＰＲＯＭ４４のトラックバック送信先アドレス記憶領域４４４から表示中のコンテンツのトラックバック送信先アドレスを取り出し、送信してくる（図１６、Ｓ３３２参照）。そこで、この応答を待って、得られたトラックバック送信先を表示コンテンツ管理テーブルに記録する（Ｓ２９）。
【００７３】
以上の処理により、対象走査位置のスレーブペーパ４についての関連情報が全て取得され、表示コンテンツ管理テーブルに記録されたことになる。そして、綴じられている電子ペーパの数（接続ペーパ数）に１を加算する（Ｓ３０）。
【００７４】
一方、走査位置から応答がない場合は（Ｓ２４：ＮＯ）、所定時間経過してタイムアウトになるまで（Ｓ３１：ＮＯ）、Ｓ２４に戻って処理を繰り返し、タイムアウトになったら（Ｓ３１：ＹＥＳ）、次の走査位置の処理に進む（Ｓ３２）。
【００７５】
対象走査位置の処理が終了したら（Ｓ３０又はＳ３１：ＹＥＳ）、次の走査位置を対象とするために走査位置に１を加算する（Ｓ３２）。そして、走査位置２５５まで処理が終了するまで（Ｓ３３：ＮＯ）、Ｓ２４〜Ｓ３２を繰り返す。全ての走査位置について処理が終了したら（Ｓ３３：ＹＥＳ）、表示コンテンツ管理テーブルのレコードを環内位置３３２４をキーにして並び替える（Ｓ３４）。以上で表示装置１内の全ての電子ペーパの位置、製造番号、表示中コンテンツに関する情報が収集できたので、ペーパ情報収集処理を終了してマスタペーパメイン処理に戻る。
【００７６】
次に、図１０に戻ってマスタペーパメイン処理の説明を継続する。ペーパ情報収集処理が終了したので（Ｓ２０）、次に、マスタペーパ３の次に位置するスレーブペーパ４から順にコンテンツ番号を割り当てる（Ｓ４０）。本実施形態では、マスタペーパ３には目次ページ常を表示して、ユーザにコンテンツが選択可能となるようにし、マスタペーパ３の次に位置しているペーパからコンテンツを順に表示するようにしている。尚、マスタペーパ３に必ずしも目次を表示する必要はなく、コンテンツを表示するようにしてもよい。
【００７７】
次に、割り当てたコンテンツのページを各電子ペーパ５に表示させるデータ表示処理を実行する（Ｓ５０）。ここで、図１２を参照して、データ表示処理について説明する。まず、書換えページ番号に１を設定して処理を開始する（Ｓ５１）。次に、書換ページ番号に１を加算する（Ｓ５２）。そして、書換ページ番号が接続ペーパ数以上になっているか否かを判断する（Ｓ５３）。書換えページ番号が接続ペーパ数に達するまでの間（Ｓ５３：ＮＯ）、以下の処理を繰り返し実行する。
【００７８】
まず、書換ページ番号のスレーブペーパ４の接続状態を表示コンテンツ管理テーブルから取得し、接続されているか否かを判断する（Ｓ５４）。接続されていなければ（Ｓ５４：ＮＯ）、Ｓ５２に戻って次のペーパの処理を実行する。
【００７９】
接続されている場合には（Ｓ５４：ＹＥＳ）、その書換ページ番号のスレーブペーパ４に表示すべきコンテンツについての情報をネットワーク上から取得する（Ｓ５５）。すなわち、当該表示コンテンツのアドレスをメモリカード３８から読み出し、通信部３０を介してネットワークに接続する。そして、ネットワーク上に置かれているコンテンツのデータ、タイトル、コメント送信先アドレス、トラックバック送信先アドレスを取得して表示コンテンツ管理テーブルに記録する。さらに、取得したコンテンツのデータを表示用データに展開し、ページデータ展開領域３３４に格納する。
【００８０】
次に、書換ページ番号のスレーブペーパ４に対して、ページ展開領域の３３４に格納されている表示用データを送信し、そのペーパの表示部４６に表示するように要求する（Ｓ５６）。ここでは、（Ｓ、*、書換ページ番号のペーパの製造番号，ＲＥＱＷＲＩＴＥ，ページデータ展開領域の表示用データ）のようなコマンドが送信される。
【００８１】
続いて、書換ページ番号のスレーブペーパ４に対して、Ｓ５５で取得した表示コンテンツのアドレスを送信し、そのペーパの表示コンテンツアドレス記憶領域４４２に記憶するように要求する（Ｓ５７）。ここでは、（Ｓ，*，書換ページ番号のペーパの製造番号，ＲＥＱＷＡＤＲ，コンテンツアドレス）のようなコマンドが送信される。
【００８２】
次に、書換ページ番号のスレーブペーパ４に対して、Ｓ５５で取得した表示コンテンツのタイトルを送信し、そのペーパの表示コンテンツタイトル記憶領域４４５に記憶するように要求する（Ｓ５８）。ここでは、（Ｓ，*，書換ページ番号のペーパの製造番号，ＲＥＱＷＴＩＴＬＥ，コンテンツタイトル）のようなコマンドが送信される。
【００８３】
続いて、書換ページ番号のスレーブペーパ４に対して、Ｓ５５で取得した表示コンテンツのコメント送信先アドレスを送信し、そのペーパのコメント送信先アドレス記憶領域４４３に記憶するように要求する（Ｓ５９）。ここでは、（Ｓ，*，書換ページ番号のペーパの製造番号，ＲＥＱＷＣＯＭ，コメント送信先アドレス）のようなコマンドが送信される。
【００８４】
次に、書換ページ番号のスレーブペーパ４に対して、Ｓ５５で取得した表示コンテンツのトラックバック送信先アドレスを送信し、そのペーパのトラックバック送信先アドレス記憶領域４４４に記憶するように要求する（Ｓ６０）。ここでは、（Ｓ，*，書換ページ番号のペーパの製造番号，ＲＥＱＷＴＢ，トラックバック送信先アドレス）のようなコマンドが送信される。
【００８５】
以上のＳ５５〜Ｓ６０の処理により、書換ページ番号に対応するスレーブペーパ４に表示されるコンテンツがネットワークから取得され、関連情報とともに当該スレーブペーパ４に送信されて、表示用データが表示部４６に表示される。そこで、次のペーパについて同様に処理するためにＳ５２に戻り、書換ページ番号に１を加算する。そして、書換ページ番号が接続ペーパ数に達したら（Ｓ５３：ＹＥＳ）、データ表示処理を終了してメイン処理（図１０）に戻る。
【００８６】
図１０に戻りマスタペーパメイン処理の説明を継続する。以上の表示処理により、スレーブペーパ４のそれぞれにコンテンツが表示されたので（Ｓ５０）、次に、マスタペーパに目次を表示し、各スレーブペーパ４に表示されているコンテンツの表示日時を更新する（Ｓ７０）。
【００８７】
そして、綴じ部材２が開閉されたか否かを判断する（Ｓ８０）。綴じ部材２の開閉は、位置検出リング２４に設けられたスイッチ１４８(図３参照)により検出される。綴じ部材２が開閉されていない場合には（Ｓ８０：ＮＯ）、そのまま待機する。
【００８８】
綴じ部材２が開閉されていれば（Ｓ８０：ＹＥＳ）、電子ペーパ５の追加や取り外しが行われている可能性があるので、表示コンテンツ管理テーブルを前状態管理テーブルとして前状態管理テーブル記憶エリア３３３にコピーしてから（Ｓ９０）、再度ペーパ情報収集処理を実行し（Ｓ１００，図１１）、各スレーブペーパ４のＥＥＰＲＯＭ４４に記憶されている表示中コンテンツに関する情報（コンテンツのアドレス、コメント送信先、トラックバック送信先）を収集する。そして、取得した表示中コンテンツ情報に基づいて、目次やコンテンツのリンク、表示内容の更新処理を実行する（Ｓ１１０）。そして、Ｓ８０に戻る。電源がＯＦＦされるまでは、Ｓ８０〜Ｓ１１０を繰り返し実行する。
【００８９】
ここで、綴じ部材２が開閉されたときに実行される更新処理について図１３を参照して説明する。更新処理が開始されると、まず、前状態管理テーブル記憶エリア３３３に記憶されている前状態管理テーブルと、表示コンテンツ管理テーブルとを比較する（Ｓ１１１）。そして、比較の結果、増えたページがあるか否かを判断する（Ｓ１１２）。
【００９０】
増えたページがある場合には（Ｓ１１２：ＹＥＳ）、その増えたページのコンテンツアドレス欄３３２４に情報が記憶されているかどうかを判断する（Ｓ１１３）。ペーパ情報収集処理において、各ペーパからコンテンツアドレスが収集されているので（図１１，Ｓ２６）、アドレスの存在するコンテンツを表示しているスレーブペーパ４であれば、コンテンツアドレス欄３３２４に情報が記憶されているはずである。
【００９１】
コンテンツアドレスが記憶されていれば（Ｓ１１３：ＹＥＳ）、増えたペーパとその直前に位置するペーパを関連づける文書結合処理を実行し（Ｓ１１４）、マスタペーパメイン処理に戻る。文書結合処理については、図１４を参照して後述する。
【００９２】
増えたページのコンテンツアドレスが記憶されていない場合には（Ｓ１１３：ＮＯ）、その増えたページはまだコンテンツが表示されていない空のペーパであるから、メモリカード３６内の表示日時が設定されていないコンテンツ（未表示のコンテンツ）のコンテンツ番号を割り当てる（Ｓ１１５）。そして、増えたページに対し、割り当てたコンテンツのアドレス、タイトル、表示データを順に送信する（Ｓ１１６）。送信の方法は、データ表示処理におけるものと同様である（図１２，Ｓ５６〜Ｓ６０）。そして、マスタペーパメイン処理に戻る。
【００９３】
Ｓ１１１における比較の結果、増えたページがなかった場合には（Ｓ１１２：ＮＯ）、次に、減ったページがあるか否かを判断する（Ｓ１１７）。減ったページがある場合には（Ｓ１１７：ＹＥＳ）、表示コンテンツ管理テーブルに、該当ページの接続状態を「切断」として登録する（Ｓ１１８）。そして、マスタペーパメイン処理に戻る。また、減ったページもなかった場合には（Ｓ１１７：ＮＯ）、そのままマスタペーパメイン処理に戻る。
【００９４】
次に、図１４及び図１５を参照して、更新処理の中で、増えたページがあった場合（図１３，Ｓ１１３：ＹＥＳ）に実行される文書結合処理について説明する。図１４に示すように、まず、図１５のような結合テーブルを作成する（Ｓ１１４１）。結合テーブルは、図１５に示すように、増えたペーパ群と、増えたペーパ群のすぐ上に位置するペーパについてのインデックスとコンテンツアドレスの項目から構成されている。これは、表示コンテンツ管理テーブルから、増えたペーパを検索し、増えたペーパの上に位置するペーパをインデックス１とし、増えたペーパがインデックス２以降になるように並べて作成する。
【００９５】
本実施形態では、増えたペーパのすぐ上にあるペーパ（特定ペーパ）に増えたペーパ（関連ペーパ）からコメントやトラックバックを送信することとしている。そして、結合テーブルのインデックス１のペーパから順に処理を実行する。そこで、処理の対象とされる特定ペーパである「対象ペーパ」に「１」を設定し、これに関連付けられるペーパである「走査ペーパ」に「２」を設定する（Ｓ１１４２）。これによって、以下、インデックス「１」のペーパとインデックス「２」のペーパについての処理が実行される。
【００９６】
次に、対象ペーパの値が結合テーブルのインデックス数以上か否かを判断する（Ｓ１１４３）。対象ペーパは、１から開始され、処理が終了される毎に加算されるので、インデックス数以上であれば、結合テーブルの全てのペーパについて処理が完了したことになる。
【００９７】
対象ペーパの値が結合テーブルのインデックス数未満である場合には（Ｓ１１４３：ＮＯ）、次に、走査ペーパの値がインデックス数を超えたか否かを判断する（Ｓ１１４４）。走査ペーパは、２から開始され、処理が終了される毎に加算されるので、インデックス数を超えていれば、結合テーブルの全てのペーパについて処理が完了したことになる。
【００９８】
走査ペーパの値が結合テーブルのインデックス数以下である場合には（Ｓ１１４４：ＮＯ）、次に、対象ペーパのコメント送信先又はトラックバック送信先が表示コンテンツ管理テーブルに登録されているか否かを判断する（Ｓ１１４５）。対象ペーパがコメント送信先もトラックバック送信先も持っていなければ、対象ペーパのコンテンツに対してコメントを送信したりトラックバックを貼ったりすることができないので、対象ペーパと走査ペーパをそれぞれ１ずつインクリメントして（Ｓ１１６２）、Ｓ１１４３に戻り、次の対象ペーパの処理を行う。
【００９９】
対象ペーパにコメント送信先又はトラックバック送信先がある場合には（Ｓ１１４６）、次に、表示コンテンツ管理テーブルに登録されている、走査ペーパ及び対象ペーパのコンテンツ情報、すなわち、コンテンツアドレス、コメント送信先アドレス、トラックバック送信先アドレスを取得する（Ｓ１１４６）。次に、表示コンテンツ管理テーブルに登録されている走査ペーパのコンテンツアドレスから、走査ペーパに表示されているコンテンツが画像か否かを判断する（Ｓ１１４７）。尚、コンテンツが画像か否かの判断は、アドレスの末尾に画像ファイルの拡張子が記載されているか否かにより判断する。
【０１００】
走査ペーパのコンテンツが画像の場合には（Ｓ１１４７：ＹＥＳ）、次に、Ｓ１１４６で取得したコンテンツ情報に、対象ペーパのトラックバック送信先が含まれているか否かを判断する（Ｓ１１４８）。
【０１０１】
対象ペーパのトラックバック送信先が存在すれば（Ｓ１１４８：ＹＥＳ）、Ｓ１１４６で取得した対象ペーパのトラックバック送信先アドレスに、走査ペーパのコンテンツアドレスと画像の表示方向を送信する（Ｓ１１４９）。対象ペーパのトラックバック送信先が存在しない場合は（Ｓ１１４８：ＮＯ）、コメント送信先は存在するはずなので、Ｓ１１４６で取得したコメント送信先アドレスに、走査ペーパのコンテンツアドレスと画像の表示方向を送信する（Ｓ１１５０）。このように、走査ペーパに表示されているコンテンツが画像の場合、表示方向を指定する必要があり、また、コンテンツ情報に表示方向が含まれているので、あらかじめ画像かどうかをチェックして別処理としている。
【０１０２】
走査ペーパのコンテンツが画像でない場合には（Ｓ１１４７：ＮＯ）、次に、Ｓ１１４６で取得したコンテンツ情報に、走査ペーパのトラックバック送信先が含まれているか否かを判断する（Ｓ１１５１）。走査ペーパのトラックバック送信先が存在すれば（Ｓ１１５１：ＹＥＳ）、Ｓ１１４６で取得した走査ペーパのトラックバック送信先アドレスに、対象ペーパのコンテンツアドレスを送信する（Ｓ１１５２）。この処理により、対象ペーパが表示しているコンテンツアドレスから走査ペーパが表示しているコンテンツにトラックバックが作成される。この処理の結果、走査ペーパが表示しているコンテンツを、パーソナルコンピュータ等で動作するＷｅｂブラウザで閲覧すると、走査ペーパが表示しているコンテンツから、対象ペーパが表示しているコンテンツへのトラックバックが作成されていることが確認できる。この状態で上記Ｗｅｂブラウザにて対象ペーパが表示しているコンテンツへのトラックバックをクリックすれば、対象ペーパが閲覧できることになる。
【０１０３】
次に、Ｓ１１４６で取得したコンテンツ情報に、対象ペーパのトラックバック送信先が含まれているか否かを判断する（Ｓ１１５３）。対象ペーパのトラックバック送信先が存在すれば（Ｓ１１４８：ＹＥＳ）、Ｓ１１４６で取得した対象ペーパのトラックバック送信先アドレスに、走査ペーパのコンテンツアドレスを送信する（Ｓ１１５４）。この処理によって、走査ペーパから対象ペーパにトラックバックが作成され、この２つのペーパのコンテンツには相互にトラックバックが作成されたことになる。
【０１０４】
対象ペーパのトラックバック送信先が存在しない場合は（Ｓ１１５３：ＮＯ）、コメント送信先は存在するはずなので、Ｓ１１４６で取得したコメント送信先アドレスに、走査ペーパのコンテンツアドレスを送信する（Ｓ１１５４）。この処理の結果、対象ペーパが表示しているコンテンツをパーソナルコンピュータ等で動作するＷｅｂブラウザで閲覧すると、対象ペーパが表示しているコンテンツのコメントとして走査ペーパの内容が表示されていることが確認できる。
【０１０５】
一方、走査ペーパのトラックバック送信先が存在しない場合は（Ｓ１１５１：ＮＯ）、次に、Ｓ１１４６で取得したコンテンツ情報に、走査ペーパのコメント送信先が含まれているか否かを判断する（Ｓ１１５６）。走査ペーパのコメント送信先が存在すれば（Ｓ１１５６：ＹＥＳ）、Ｓ１１４６で取得したコメント送信先アドレスに、対象ペーパのコンテンツ内容を送信する（Ｓ１１５７）。この処理の結果、走査ペーパが表示しているコンテンツをパーソナルコンピュータ等で動作するＷｅｂブラウザで閲覧すると、走査ペーパが表示しているコンテンツのコメントとして対象ペーパの内容が表示されていることが確認できる。
【０１０６】
その後、又は、走査ペーパのコメント送信先が存在しなければ（Ｓ１１５６：ＮＯ）、次に、Ｓ１１４６で取得したコンテンツ情報に、対象ペーパのトラックバック送信先が含まれているか否かを判断する（Ｓ１１５８）。対象ペーパのトラックバック送信先が存在すれば（Ｓ１１５８：ＹＥＳ）、Ｓ１１４６で取得した対象ペーパのトラックバック送信先アドレスに、走査ペーパのコンテンツアドレスを送信する（Ｓ１１５４）。対象ペーパのトラックバック送信先が存在しない場合は（Ｓ１１５３：ＮＯ）、コメント送信先は存在するはずなので、Ｓ１１４６で取得したコメント送信先アドレスに、走査ペーパのコンテンツ内容を送信する（Ｓ１１６０）。
【０１０７】
以上のＳ１１４９，Ｓ１１５０，Ｓ１１５４，Ｓ１１５５，Ｓ１１５９，Ｓ１１６０の処理の後、走査ペーパを１インクリメントする（Ｓ１１６１）。そして、Ｓ１１４４に戻る。例えば、図１５の状態の結合テーブルでは、１巡目の処理で、対象ペーパが１、走査ペーパが２であり両方のペーパにトラックバック送信先があれば、以上の処理で相互にトラックバックが作成されている（Ｓ１１４５〜Ｓ１１６０）。次の巡目の処理は、対象ペーパが「１」で走査ペーパが「３」となるから、「１」のペーパと「３」のペーパ間の処理となる（Ｓ１１４５〜Ｓ１１６０）。この処理が終了すると、走査ペーパがまた１インクリメントされて「４」となり（Ｓ１１６１）、Ｓ１１４４に戻る。ここで、インクリメントされた走査ペーパの値「４」は、インデックス数「３」よりも多いので（Ｓ１１４４：ＹＥＳ）、対象ペーパを１インクリメントして「２」とし、走査ペーパを対象ペーパに１加算した値の「３」とする（Ｓ１１６２）。そして、Ｓ１１４３に戻る。
【０１０８】
対象ペーパの値「２」はまだインデックス数「３」以上ではないので（Ｓ１１４３：ＮＯ）、次の巡目では、「２」と「３」のペーパについてトラックバックが作成されたり、コメント送信の処理が実行される（Ｓ１１４５〜Ｓ１１６０）。「２」と「３」のペーパについての処理が終了すると、走査ペーパの値がインクリメントされて（Ｓ１１６１）、「４」となる。そして、Ｓ１１４４に戻る。インクリメントされた走査ペーパの値「４」は、インデックス数「３」よりも多いので（Ｓ１１４４：ＹＥＳ）、対象ペーパを１インクリメントして「３」とし、走査ペーパを対象ペーパに１加算した値の「４」とする（Ｓ１１６２）。そして、Ｓ１１４３に戻る。
【０１０９】
ここで、対象ペーパの値は「３」となっており、インデックス数「３」と等しくなり（Ｓ１１４３：ＹＥＳ）、結合テーブルにある全てのペーパについて相互にリンクが作成されたので、結合テーブル中のペーパの表示内容を更新し（Ｓ１１６３）、図１３の更新処理に戻り、さらに図１０のマスタペーパメイン処理に戻る。
【０１１０】
次に、図１６を参照して、スレーブペーパ４で実行される処理について説明する。図１６は、スレーブペーパメイン処理のフローチャートである。まず、位置検出部４７の出力値を取得して、自身の接続位置を更新し、接続位置記憶領域４３１に記憶する（Ｓ３０１）。次に、マスタペーパ３からのコマンド受信を待つ（Ｓ３０２）。
【０１１１】
そして、受信したコマンドに含まれる宛先位置が、自身の接続位置（接続位置記憶領域４３１に記憶されている位置）であるか否かを判断する。宛先位置が接続位置である場合には（Ｓ３０３：ＹＥＳ）、受信したコマンドが、製造番号の問い合わせであるか否かを判断する（Ｓ３０４）。製造番号の問い合わせコマンド（ＲＥＱＩＤ）である場合には（Ｓ３０４：ＹＥＳ）、ＥＥＰＲＯＭ４４に記憶されているスレーブペーパ４自身の製造番号をマスタペーパ３に応答する（Ｓ３０５）。本実施形態では、この応答送信は（Ｍ，＊，＊，ＳＥＮＤＩＤ，製造番号）となる。製造番号の問い合わせコマンドでない場合は（Ｓ３０４：ＮＯ）、そのままＳ３０１に戻る。
【０１１２】
宛先位置が接続位置でない場合には（Ｓ３０３：ＮＯ）、次に、宛先となっている製造番号が自身の製造番号か否かを判断する（Ｓ３０６）。宛先製造番号が自身の製造番号でない場合には（Ｓ３０６：ＮＯ）、そのままＳ３０１に戻る。
【０１１３】
宛先製造番号が自身の製造番号である場合には（Ｓ３０６：ＹＥＳ）、受信したコマンドが表示画像の書き込みの指示であるか否かを判断する（Ｓ３０７）。表示画像の書き込み指示コマンド（ＲＥＱＷＲＩＴＥ）である場合には（Ｓ３０７：ＹＥＳ）、コマンドとともに受信した表示用データをページデータ展開領域４３３に書き込み（Ｓ３０８）、続いて、展開した表示用データを表示部４６に表示させて（Ｓ３０９）、表示を完了した旨をマスタペーパ３に応答する（Ｓ３１０）。本実施形態では、この応答送信は（Ｍ(マスタペーパ)，＊，＊，ＳＥＮＤＤＯＮＥ，ＮＵＬＬ）となる。そして、Ｓ３０１に戻る。
【０１１４】
表示画像の書き込み指示コマンド（ＲＥＱＷＲＩＴＥ）でなかった場合には（Ｓ３０７：ＮＯ）、次に、受信したコマンドが位置情報の問い合わせであるか否かを判断する（Ｓ３１１）。位置情報の問い合わせコマンド（ＲＥＱＰＯＳ）である場合には（Ｓ３１１：ＹＥＳ）、接続位置記憶領域４３１に記憶されている位置情報を取り出して、マスタペーパ３に応答する（Ｓ３１２）。本実施形態では、この応答送信は（Ｍ，＊，＊，ＳＥＮＤＰＯＳ，接続位置）となる。
【０１１５】
位置情報の問い合わせコマンド（ＲＥＱＰＯＳ）でなかった場合には（Ｓ３１１：ＮＯ）、次に、受信したコマンドがコンテンツアドレスの書き込み指示であるか否かを判断する（Ｓ３１３）。コンテンツアドレスの書き込み指示コマンド（ＲＥＱＷＡＤＲ）である場合には（Ｓ３０７：ＹＥＳ）、コマンドとともに受信したコンテンツアドレスをＥＥＰＲＯＭ４４内の表示コンテンツアドレス記憶領域４４２に書き込み（Ｓ３１４）、完了した旨をマスタペーパ３に応答する（Ｓ３１５）。本実施形態では、この応答送信は（Ｍ，＊，＊，ＳＥＮＤＤＯＮＥ，ＮＵＬＬ）となる。そして、Ｓ３０１に戻る。
【０１１６】
コンテンツアドレスの書き込み指示（ＲＥＱＷＡＤＲ）でなかった場合には（Ｓ３１３：ＮＯ）、次に、受信したコマンドがコンテンツアドレスの問い合わせであるか否かを判断する（Ｓ３１６）。コンテンツアドレスの問い合わせコマンド（ＲＥＱＲＡＤＲ）である場合には（Ｓ３１６：ＹＥＳ）、表示コンテンツアドレス記憶領域４４２に記憶されているコンテンツアドレスを取り出して、マスタペーパ３に応答する（Ｓ３１７）。本実施形態では、この応答送信は（Ｍ，＊，＊，ＳＥＮＤＡＤＲ，コンテンツアドレス）となる。
【０１１７】
コンテンツアドレスの問い合わせコマンド（ＲＥＱＲＡＤＲ）でなかった場合には（Ｓ３１６：ＮＯ）、次に、受信したコマンドがコンテンツタイトルの書き込み指示であるか否かを判断する（Ｓ３１８）。コンテンツタイトルの書き込み指示マンド（ＲＥＱＷＴＩＴＬＥ）である場合には（Ｓ３１８：ＹＥＳ）、コマンドとともに受信したコンテンツアドレスをＥＥＰＲＯＭ４４内の表示コンテンツタイトル記憶領域４４５に書き込み（Ｓ３１９）、完了した旨をマスタペーパ３に応答する（Ｓ３２０）。本実施形態では、この応答送信は（Ｍ，＊，＊，ＳＥＮＤＤＯＮＥ，ＮＵＬＬ）となる。そして、Ｓ３０１に戻る。
【０１１８】
コンテンツタイトルの書き込み指示マンド（ＲＥＱＷＴＩＴＬＥ）でなかった場合には（Ｓ３１８：ＮＯ）、次に、受信したコマンドがコメント送信先の書き込み指示であるか否かを判断する（Ｓ３２１）。コメント送信先の書き込み指示コマンド（ＲＥＱＷＣＯＭ）である場合には（Ｓ３２１：ＹＥＳ）、コマンドとともに受信したコメント送信先アドレスをＥＥＰＲＯＭ４４内のコメント送信先アドレス記憶領域４４３に書き込み（Ｓ３２２）、完了した旨をマスタペーパ３に応答する（Ｓ３２３）。本実施形態では、この応答送信は（Ｍ，＊，＊，ＳＥＮＤＤＯＮＥ，ＮＵＬＬ）となる。そして、Ｓ３０１に戻る。
【０１１９】
コメント送信先の書き込み指示コマンド（ＲＥＱＷＣＯＭ）でなかった場合には（Ｓ３２１：ＮＯ）、次に、受信したコマンドがトラックバック送信先の書き込み指示であるか否かを判断する（Ｓ３２４）。トラックバック送信先の書き込み指示コマンド（ＲＥＱＷＴＢ）である場合には（Ｓ３２４：ＹＥＳ）、コマンドとともに受信したトラックバック送信先アドレスをＥＥＰＲＯＭ４４内のトラックバック送信先アドレス記憶領域４４４に書き込み（Ｓ３２５）、完了した旨をマスタペーパ３に応答する（Ｓ３２６）。本実施形態では、この応答送信は（Ｍ，＊，＊，ＳＥＮＤＤＯＮＥ，ＮＵＬＬ）となる。そして、Ｓ３０１に戻る。
【０１２０】
トラックバック送信先の書き込み指示コマンド（ＲＥＱＷＴＢ）でなかった場合には（Ｓ３２４：ＮＯ）、次に、受信したコマンドが表示コンテンツのタイトルの問い合わせであるか否かを判断する（Ｓ３２７）。コンテンツタイトルの問い合わせコマンド（ＲＥＱＲＴＩＴＬＥ）である場合には（Ｓ３２７：ＹＥＳ）、表示コンテンツタイトル記憶領域４４５に記憶されているコンテンツタイトルを取り出して、マスタペーパ３に応答する（Ｓ３２８）。本実施形態では、この応答送信は（Ｍ，＊，＊，ＳＥＮＤＡＤＲ，コンテンツタイトル）となる。
【０１２１】
コンテンツタイトルの問い合わせコマンド（ＲＥＱＲＴＩＴＬＥ）でなかった場合には（Ｓ３２７：ＮＯ）、次に、受信したコマンドがコメント送信先の問い合わせであるか否かを判断する（Ｓ３２９）。コメント送信先の問い合わせコマンド（ＲＥＱＲＣＯＭ）である場合には（Ｓ３２９：ＹＥＳ）、コメント送信先アドレス記憶領域４４３に記憶されているコメント送信先アドレスを取り出して、マスタペーパ３に応答する（Ｓ３３０）。本実施形態では、この応答送信は（Ｍ，＊，＊，ＳＥＮＤＡＤＲ，コメント送信先アドレス）となる。
【０１２２】
コメント送信先の問い合わせコマンド（ＲＥＱＲＣＯＭ）でなかった場合には（Ｓ３２９：ＮＯ）、次に、受信したコマンドがトラックバック送信先の問い合わせであるか否かを判断する（Ｓ３３１）。トラックバック送信先の問い合わせコマンド（ＲＥＱＲＴＢ）である場合には（Ｓ３３１：ＹＥＳ）、トラックバック送信先アドレス記憶領域４４４に記憶されているトラックバック送信先アドレスを取り出して、マスタペーパ３に応答する（Ｓ３３２）。本実施形態では、この応答送信は（Ｍ，＊，＊，ＳＥＮＤＡＤＲ，トラックバック送信先アドレス）となる。トラックバック送信先の問い合わせコマンド（ＲＥＱＲＴＢ）ででなかった場合には（Ｓ３３１：ＮＯ）、そのままＳ３０１に戻る。
【０１２３】
以上のように、スレーブペーパ４では、接続位置を更新しつつ、マスタペーパ３からのコマンド受信を待ち、受信したコマンドに従って表示部４６への表示内容を更新したり、ＥＥＰＲＯＭ４４へ情報を格納したり、情報をマスタペーパ３に送信したりする。
【０１２４】
以上説明したように、本実施形態の表示装置１では、リング状の綴じ部材２により綴じられた複数の電子ペーパ５（マスタペーパ３／スレーブペーパ４）が着脱可能になっている。綴じ部材２が開閉されたときには、各スレーブペーパ４から位置情報、製造番号、表示しているコンテンツの情報を収集し、電子ペーパ５の順序を算出する。綴じ部材２が開閉される前の状態と比較した結果、新しいスレーブペーパ４が挿入されたことが判明すると、その新しいペーパに表示されているコンテンツにアドレス情報があるかどうかをチェックする。アドレス情報のあるコンテンツを表示しているペーパが挿入されていた場合は、その表示中コンテンツを、表示装置１に元々綴じられていたペーパに表示されているコンテンツに対してトラックバックやコメント送信としたいと判断する。そのため、挿入位置の直前にある既存ペーパのコンテンツに対して、挿入ペーパの内容をコメント送信したり、相互にトラックバックを作成したりする。このように処理を行うことで、表示装置１に、コンテンツを表示させているスレーブペーパ４を挿入するだけで、入力を行うことなく、元のコンテンツに対してコメントやトラックバックを作成することができる。
【０１２５】
尚、上記実施形態において、図１０Ｓ４０でコンテンツの割り当てを実行するＣＰＵ１０が本発明の割当手段に相当する。また、図１０のＳ５０及び図１２でデータ表示処理を実行するＣＰＵ１０が本発明の表示制御手段に相当する。また、図１３のＳ１１４及び図１２で結合処理を実行するＣＰＵ１０が本発明の関連付手段及び追加先決定手段に相当する。また、図１４のＳ１１４９，１１５０，１１５２，１１５４，１１５５，１１５７，１１５９，１１６０でコメント送信先やトラックバック送信先に送信するＣＰＵ１０が本発明の追加情報送信手段に相当する。また、図１１のＳ２３及びＳ２５でスレーブペーパ４から位置情報を取得して記録するＣＰＵ１０が本発明の位置情報取得手段に相当する。また、図１１のＳ３４で表示コンテンツ管理テーブルの並び替えを実行するＣＰＵ１０が本発明の順序算出手段に相当する。
【図面の簡単な説明】
【０１２６】
【図１】表示装置１の外観を模式的に示した外観図である。
【図２】電源供給用リング１１の断面を示す模式図である。
【図３】位置検出用リング２４の断面を示す模式図である。
【図４】位置検出用リング２４に１枚のマスタペーパ３と４枚のスレーブペーパ４とが綴じられている状態を示す模式図である。
【図５】表示装置１の構成を示すブロック図である。
【図６】マスタペーパ３のＲＡＭ３３のデータ構造を示す構成図である。
【図７】表示コンテンツ管理テーブル記憶領域３３２に記憶された表示コンテンツ管理テーブルのデータ構造を示す構成図である。
【図８】スレーブペーパ４のＲＡＭ４３のデータ構造を示す構成図である。
【図９】スレーブペーパ４のＥＥＰＲＯＭ４４のデータ構造を示す構成図である。
【図１０】マスタペーパ３のメイン処理（マスタペーパメイン処理）のフローチャートである。
【図１１】マスタペーパメイン処理の中で実行されるペーパ情報収集処理のフローチャートである。
【図１２】マスタペーパメイン処理の中で実行されるデータ表示処理のフローチャートである。
【図１３】マスタペーパメイン処理の中で実行される更新処理のフローチャートである。
【図１４】更新処理の中で実行される文書結合処理のフローチャートである。
【図１５】文書結合処理で用いられる結合テーブルの例を示す模式図である。
【図１６】スレーブペーパメイン処理のフローチャートである。
【符号の説明】
【０１２７】
１      表示装置
２      綴じ部材
２１      電源供給リング
２２      接地リング
２３      通信用リング
２４      位置検出リング
３      マスタペーパ
４      スレーブペーパ
５      電子ペーパ
６      貫通孔
６１      電源供給用貫通孔
６２      設置用貫通孔
６３      通信用貫通孔
６４      位置検出用貫通孔
３０      通信部
３１      ＣＰＵ
３３      ＲＡＭ
３３１      接続ペーパ数記憶領域
３３２      表示コンテンツ管理テーブル記憶領域
３３３      前状態管理テーブル記憶エリア
３３４      ページデータ展開領域
３４      ＥＥＰＲＯＭ
３５      内部通信部
３６      メモリカード
３６      表示部
３８      メモリカード
３９      開閉検出部
４１      ＣＰＵ
４３      ＲＡＭ
４３１      接続位置記憶領域
４３２      ペーパページ番号記憶領域
４３３      ページデータ展開領域
４４      ＥＥＰＲＯＭ
４４１      スレーブペーパ製造番号記憶領域
４４２      表示コンテンツアドレス記憶領域
４４３      コメント送信先アドレス記憶領域
４４４      トラックバック送信先アドレス記憶領域
４４５      表示コンテンツタイトル記憶領域
４５      内部通信部
４６      表示部
４７      位置検出部
【図１】
2008083304.tif 000003
【図２】
2008083304.tif 000004
【図３】
2008083304.tif 000005
【図４】
2008083304.tif 000006
【図５】
2008083304.tif 000007
【図６】
2008083304.tif 000008
【図７】
2008083304.tif 000009
【図８】
2008083304.tif 000010
【図９】
2008083304.tif 000011
【図１０】
2008083304.tif 000012
【図１１】
2008083304.tif 000013
【図１２】
2008083304.tif 000014
【図１３】
2008083304.tif 000015
【図１４】
2008083304.tif 000016
【図１５】
2008083304.tif 000017
【図１６】
2008083304.tif 000018